(57)【要約】【課題】【解決手段】サーフェスマウント製造技術と適合可能な電子構成要素用の接点テールである。接点テールは、プレス加工され、相対的に低い製造コストを及び高精度を提供する。一方、高精度の接点テールは、電子構成要素にて接点テールの列をわたってより信頼性の高いはんだ継手を提供する。更に、接点テールは、リフロー工程中、装着領域から吸い取るはんだの傾向を少なくする形状とすることができる。吸い取るはんだの性質を少なくすることは、はんだが電子構成要素の作動を妨害する可能性を減少させることになる。更に、吸い取るはんだの性質を少なくすることは、接点テールが装着されるパッドをビア上に配置し、これにより接点を基板に装着することのできる密度を増大させることを許容する。接点テールが自己中心決め列にて使用されるときにも、接点テールを使用する構成要素を含む電子組立体の信頼性は向上する。【選択図】図３Ａ
2009520341.tif 000002
【特許請求の範囲】
【請求項１】
電子構成要素内の導電性部材用の接点テールにおいて、
ａ）構成要素から第一の方向に伸び得るようにされた軸部分であって、第一の方向に対して直角の第一の幅を有する前記軸部分と、
ｂ）軸部分に装着された末端部分であって、
ｉ）第一の方向に対して平行な主要面と、
ｉｉ）第一の方向に対して直角の方向に向けた第二の幅とを有し、該第二の幅は、第一の幅よりも広い、前記末端部分とを備える、電子構成要素内の導電性部材用の接点テール。
【請求項２】
請求項１に記載の接点テールにおいて、末端部分は、第一の方向に対して直角であり且つ、軸部分と対向する位置に配設された端縁を有する、接点テール。
【請求項３】
請求項２に記載の接点テールにおいて、端縁は湾曲している、接点テール。
【請求項４】
請求項２に記載の接点テールにおいて、末端部分は、実質的に円形の周縁を有する、接点テール。
【請求項５】
請求項４に記載の接点テールにおいて、末端部分はディスクである、接点テール。
【請求項６】
請求項５に記載の接点テールにおいて、末端部分は、貫通して形成された開口部を有する、接点テール。
【請求項７】
請求項６に記載の接点テールにおいて、ディスクは内側部分を有し、開口部は内側部分にある、接点テール。
【請求項８】
請求項６に記載の接点テールにおいて、ディスクは、軸部分に近接する上側部分を有し、開口部は上側部分にて周縁と交差する、接点テール。
【請求項９】
請求項１に記載の接点テールにおいて、軸は、該軸に形成された順応性の造作部を有する、接点テール。
【請求項１０】
請求項１に記載の接点テールにおいて、軸は、該軸に形成された湾曲領域を有する、接点テール。
【請求項１１】
請求項１に記載の接点テールにおいて、軸部分を貫通する軸線の回りにて対称であり且つ、第一の方向に対して平行である、接点テール。
【請求項１２】
請求項２に記載の接点テールにおいて、
ａ）導電性パッドが形成された基板と、
ｂ）パッドに隣接する端縁を有する接点テールを備える電子構成要素と、
ｃ）末端部分をパッドに電気的に且つ機械的に接続するはんだとを組み合わせた電子組立体を形成する、接点テール。
【請求項１３】
請求項１２に記載の電子組立体において、はんだは、端縁とパッドとの間に形成された複数のはんだヒールを備える、電子組立体。
【請求項１４】
請求項１３に記載の電子組立体において、末端部分は、主要面に対して平行な第二の面を更に備え、主要面及び第二の面の各々は少なくとも部分的に端縁により境が設定され、
はんだは、主要面をパッドに架橋する第一のフィレットと、第二の面をパッドに架橋する第二のフィレットとを備える、電子組立体。
【請求項１５】
請求項１２に記載の電子組立体において、端縁に隣接してパッドを貫通するビアを更に備える、電子組立体。
【請求項１６】
請求項１２に記載の電子組立体を形成する方法において、
ａ）はんだペーストをパッド上に配置するステップと、
ｂ）末端部分の少なくとも一部をはんだペースト内に挿入するステップと、
ｃ）はんだペーストをリフローさせ、はんだを形成するステップとを備える、方法。
【請求項１７】
各々が請求項２に記載の接点テールを有する複数のリードを備える電子構成要素において、複数のリードの第一の部分は第一の横列に沿って配設され、第一の横列は第一の方向に対して垂直な第二の方向に向けて伸び、第一の横列のリードの各々の端縁は、平行に且つ第二の方向から第一の角度だけ角度を付けて変位して配置される、電子構成要素。
【請求項１８】
請求項１７に記載の電子構成要素において、複数のリードの第二の部分は、第二の横列に沿って配設され、第二の横列は、第一の横列に対して平行であり、第二の横列のリードの各々の端縁は、平行に且つ第二の方向から第一の角度と反対の第二の角度だけ角度を付けて変位して配置される、電子構成要素。
【請求項１９】
電子構成要素内の導電性部材用の接点テールにおいて、
ａ）構成要素から第一の方向に向けて伸び得るようにされた軸部分と、
ｂ）第一の端縁及び第二の端縁を有する末端部分であって、第一の端縁及び第二の端縁は、第一の方向に向けて分離され且つ、末端部分の両側部にて配設され、第二の端縁にて軸部分に装着され、第二の端縁は、第一の方向に対して横断する少なくとも１つの方向に向けて軸を超えて伸びるようにした前記末端部分とを備える、導電性部材用の接点テール。
【請求項２０】
請求項１９に記載の接点テールにおいて、第二の端縁は、鈍角度にて軸と交差する、接点テール。
【請求項２１】
請求項１９に記載の接点テールにおいて、第二の端縁は湾曲している、接点テール。
【請求項２２】
請求項１９に記載の接点テールにおいて、第一の端縁及び第二の端縁は湾曲しており、第二の端縁は、第一の端縁の曲率半径より大きく又は該曲率半径に等しい曲率半径を有する、接点テール。
【請求項２３】
請求項１９に記載の接点テールにおいて、
ａ）導電性パッドが形成された基板と、
ｂ）パッドに隣接する第一の端縁を有する接点テールを備える電子構成要素と、
ｃ）末端部分をパッドに電気的に且つ機械的に接続するはんだとを組み合わせた電子組立体を形成する、接点テール。
【請求項２４】
請求項２３に記載の電子組立体において、はんだは、第二の端縁と軸との間に少なくとも１つの領域を備える、電子組立体。
【請求項２５】
請求項２４に記載の電子組立体において、はんだは、第一の端縁とパッドとの間に形成された複数のはんだヒールを更に備える、電子組立体。
【請求項２６】
請求項２５に記載の電子組立体において、末端部分は、第一の面と、該第一の面に対して平行な第二の面とを更に備え、第一の面及び第二の面の各々は、端縁により境が設定され、はんだは、第一の面をパッドに架橋する第一の部分と、第二の部分をパッドに架橋する第二の部分とを備える、電子組立体。
【請求項２７】
請求項２４に記載の電子組立体において、端縁に隣接してパッドを貫通するビアを更に備える、電子組立体。
【請求項２８】
請求項２４に記載の電子組立体を製造する方法において、
ａ）はんだペーストをパッド上に配置するステップと、
ｂ）末端部分の少なくとも一部分をはんだペースト内に挿入するステップと、
ｃ）はんだペーストをリフローさせ、はんだを形成するステップとを備える、電子組立体を製造する方法。
【請求項２９】
接点を製造する方法において、
ａ）接点テールを有する接点であって、
ｉ）構成要素から第一の方向に伸び得るようにされた軸部分であって、第一の方向に対して直角の第一の幅を有する前記軸部分と、
ｉｉ）軸部分に装着された末端部分であって、第一の幅よりも広い、第一の方向に対して直角の第二の幅と、第一の方向に対して直角な端縁とを有する、前記末端部分とを備える前記接点を金属薄板からプレス加工するステップを備える、接点を製造する方法。
【請求項３０】
請求項２９に記載の方法において、
ａ）末端部分に穴を押し抜くステップを更に備える、方法。
【請求項３１】
請求項２９に記載の方法において、
ａ）接点をめっきするステップを更に備える、方法。
【請求項３２】
請求項３１に記載の方法において、ステップｂ）は、ａ）プレス加工するステップの前に薄板金属をめっきするステップを備える、方法。
【請求項３３】
請求項２９に記載の方法において、成形ステップが実質的に存在しない、方法。
【発明の詳細な説明】
【技術分野】
【０００１】
本出願は、その内容の全体を参考として引用し本明細書に含めた、２００５年１１月２９日付けで出願された米国仮特許出願番号６０／７４１，０８９による優先権を主張するものである。
【背景技術】
【０００２】
本発明は、全体として、電子組立体、より詳細には、電子構成要素を基板に装着することに関する。
【発明の開示】
【発明が解決しようとする課題】
【０００３】
電子組立体は、従来から、構成要素をプリント回路板のような基板に装着することにより製造されている。基板は、構成要素に対する機械的支持体を提供し、また、構成要素を電気的に相互に接続する信号路を有している。プリント回路板及びその他の型式の基板において、構成要素の間の信号路は、「トレース」と称される導電性片により提供されている。しばしば、トレースは、プリント回路板の内側にあり、また、「ビア」と称される穴がプリント回路板の表面からトレースまで伸びている。ビアは、プリント回路板の表面上の構成要素とプリント回路板内のトレースとの間に電気的接続部を形成するよう導電性材料にてめっきされている。
【０００４】
構成要素を基板に装着する機構は、望ましい電気的及び機械的性質を有しなければならない。装着は、構成要素と基板のトレースとの間を通る電気信号の歪みを殆ど生じさせないような態様にて構成要素をビアに電気的に接続しなければならない。更に、構成要素と基板との間の装着は、機械的に堅固であり、電子組立体が使用されるとき、構成要素と基板との間の境界面上の力によって電気的接続が損なわれないようにしなければならない。多くの型式の装着方法が使用されている。
【０００５】
初期の電子組立体は、スルーホールはんだ装着技術を使用して製造していた。この形態の装着によれば、プリント回路板の前側の構成要素からのリードは、ビアを通して挿入される。はんだは、しばしば、リードをはんだ浴に浸漬させることによりプリント回路板の裏側に施工される。溶融したはんだは、リードの金属に接着し且つ、ビアをめっきする傾向となる。溶融したはんだとリードとの間の吸引力は、「吸い取り（ｗｉｃｋｉｎｇ）」と称されることがある過程中、リードに沿ってはんだを吸引する。はんだが冷却し且つ、硬化すると、はんだは、リードとビアのめっきとの間の電気的接続部を形成し、また、はんだは、リードをビア内にて固定する。
【０００６】
圧力嵌め接続法も使用されている。圧力嵌め接続法は、また、装着のためビアを使用するが、接点テールにより発生された力を利用して接点テールをビアに連結する。圧力嵌めリードは、順応性部分を有する接点テールと共にプレス加工される。順応性部分は、リードがビア内に挿入されたとき、圧縮される。ビア内に入ったとき、順応性部分は、ビアの壁に対してばね力を発生させる。力は、接点テールとビアの壁との間に電気的接続部及び機械的接続部の双方を提供する。
【０００７】
より最近、サーフェスマウント技術が広く使用されるようになった。サーフェスマウント技術により、ビアは、また、プリント回路板内にてトレースとの接続を為すため使用される。ビアは、プリント回路板の表面上のパッドとプリント回路板の内側のトレース（又は、接地面又はパワー面のようなその他の導体）との間の導電路としてのみ機能する。ビアは、装着すべき構成要素からリード又は接点テールを受け取らないため、ビアは、しばしばスルーホール又は圧力嵌め装着のため使用されるものよりも小径にて形成することができる。小径であることは、ビアを共により近接して配置し又は構成要素が取り付けられる基板の領域内にてより多くのトレースがビア間を通ることを許容するよう配置することを可能にする。その何れの効果もより小型の電子組立体にすることができる。小径のビアは、改良された電気的性能を得ることも許容する。
【０００８】
電子構成要素は、リードを構成要素から基板の表面上のパッドまではんだ付けすることにより装着される。かかるリードは、平坦な金属片からプレス加工し、次に、曲げるか又は所定の形状に「成形される」ことがしばしばである。一般に使用される形状は、「ガルウイング」リード及び「Ｊリード」である。ある状況においては、リードは、成形されない、単にポストとすることもある。形状に関係なく、リードは、典型的に、リフローはんだ過程を使用してパッドにはんだ付けされる。
【０００９】
リフロー過程において、はんだペーストは、パッド上に配置される。はんだペーストは、１つの構成要素が回路板上に配置されたとき、リードをルーズにその位置に保持するのに十分、粘性である。構成要素が回路板に配置されたとき、回路板は、はんだペーストを加熱する加熱炉内に配置される。
【００１０】
溶剤及びはんだペースト内のはんだ粒子は、加熱する間、変態する。はんだペーストが加熱されると、溶剤は活性化される。リフロー過程の開始時、溶剤は、相互に接続されるパッド及びリードの表面の酸化物及びその他の汚染物質を攻撃する。溶剤は、また、表面を「湿ら」せて、はんだの接着を促進する。溶剤がより加熱されると、溶剤は、気体に変化し、この気体は、はんだペーストから逃げなければならない。これと同時に、ペースト内のはんだ粒子は、溶融する。溶融したはんだは、リード及びパッドの双方に接着する。溶融したはんだが冷却すると、はんだは、凝固してリードをパッドに電気的に且つ機械的に接合する。
【００１１】
サーフェスマウント技術は、また、はんだボールを使用しても開発されている。多くの場合、はんだボールにて装着された電子構成要素は、リードを有していない。その代わり、構成要素及び基板の双方は、整合するパッドを有している。はんだボールは、パッドの間に配置され且つリフローして構成要素上のパッドを基板上のパッドに固定する。はんだペースト又は溶剤は、はんだボールをその位置に保持するため使用することができる。その他のサーフェスマウント技術の場合のように、はんだボールは、リフロー化し、また、溶融したはんだは、基板上のパッド及び構成要素上のパッドに接着する。はんだが冷却すると、はんだは、パッド間の電気的及び機械的接続部を形成する。
【００１２】
はんだボール取り付けの多くの変形例が既知である。一部の変形例において、はんだボールは、銅球のような、固体のコアを有している。球は、はんだ継手の形状を設定し且つ、はんだ付けたしたときでさえ、構成要素と基板との間の空間を確立する。
【００１３】
極めて高密度の相互接続が望まれるとき、サーフェスマウント技術はしばしば使用される。はんだ継手を形成するため、パッドにアクセスする必要はないため、パッド列を基板上に形成し、１つの構成要素をパッド列上に配置することができる。多くの電子構成要素は、はんだボール列と共に製造され、かかるパッド列と整合させる。これらの構成要素は、「ボールグリッドアレイ」（ＢＧＡ）パッケージングを含むといわれることがしばしばである。
【００１４】
ＢＧＡパッケージングの有利な効果を提供するが、簡単に製造でき、このため、低コストである電子構成要素用の装着機構を有することが望ましいであろう。
【課題を解決するための手段】
【００１５】
１つの形態において、本発明は、電子構成要素内にて導電性部材に対する接点テールに関する。接点テールは、構成要素から第一の方向に伸び得るようにされた軸部分を備えている。軸部分は、第一の方向に対して直角の第一の幅を有している。接点テールは、また、軸部分に装着された末端部分を含む。末端部分は、第一の方向に対して平行な主要面と、第一の方向に対して直角の方向に向けた第二の幅とを有している。第二の幅は、第一の幅よりも広い。
【００１６】
別の態様において、本発明は、電子構成要素内にて導電性部材用の接点テールに関する。接点テールは、構成要素から第一の方向に伸び得るようにされた軸部分を有している。接点テールは、第一の端縁及び第二の端縁を有する末端部分も含む。第一の端縁及び第二の端縁は、第一の方向に分けて分離されており、末端部分の両側部に配設されている。末端部分は、第二の端縁にて軸部分に装着され、第二の端縁は、第一の方向に対して横方向の少なくとも１つの方向に向けて軸を越えて伸びている。
【００１７】
別の形態において、本発明は、接点を製造する方法に関する。方法は、金属薄板から接点テールを有する接点をプレス加工するステップを含む。接点テールは、構成要素から第一の方向に向けて伸び得るようにされた軸部分であって、第一の方向に対し直角の第一の幅を有する上記の軸部分と、軸部分に装着された末端部分であって、第一の方向に対して直角であり、第一の幅よりも幅が広い第二の幅を有する上記の末端部分と、第一の方向に対して直角の端縁とを有している。
【発明を実施するための最良の形態】
【００１８】
添付図面は、正確な縮尺にて描くことを目的とするものではない。図面において、色々な図面にて示した同一又はほぼ同一の構成要素の各々は、同様の参照番号にて示されている。明確化の目的のため、全ての構成要素の各々が各図面にて標識される訳ではない。
【００１９】
本発明は、以下の説明に記載し又は図面に示した構成要素の構造及び配置の詳細にのみその適用が限定されるものではない。本発明は、その実施の形態が可能であり、また、色々な態様にて実施し又は実行することができる。また、本明細書にて使用した表現及び技術用語は、説明の目的のためであり、限定的であると見なすべきではない。「含む」、「備える」又は「有する」、「保持する」、「包含する」及びそれらの変形例は、以下に記載した物品及びそれらの等価物並びに追加的な物品を包含することを意図するものである。
【００２０】
電子組立体を製造するとき、構成要素を基板に装着する低コストで且つ信頼性の高い方法を有することが望ましいであろう。更に、高密度の相互接続部を許容するよう、低コスト、信頼性の高い装着方法を有することが望ましいであろう。上記の背景技術にて説明したように、構成要素を基板に装着するためボールグリッドアレイが使用されている。ボールグリッドアレイは、構成要素と基板との間にて比較的小さい領域内で比較的多数の相互接続部を提供する点にて望ましい。例えば、ボールグリッドアレイは、パッケージ化した半導体構成要素及び電気的コネクタ及びチップソケットのようなその他の構成要素を装着するため使用されている。ボールグリット列の密度の有利な効果を有し、しかも低コストで且つ信頼性が高い電子構成要素用の装着システムを開発した。装着システムは、コネクタ及びソケットのようなリードを有する構成要素にとって特に有用である。
【００２１】
図１Ａ及び図１Ｂには、ボールグリッドアレイを使用してプリント回路板に装着する設計とされた先行技術の電気コネクタの一部分が示されている。図１Ａには、ボールグリット列装着によりコネクタ内に組み込む設計とされたリードフレーム６４が示されている。リードフレーム６４は、例えば、金属薄板からプレス加工し所望の輪郭外形の構造体を形成することができる。次に、構造体は、曲がり部及び湾曲部又は適当なその他の形状を含むよう形成することができる。
【００２２】
図示した形態において、プレス加工工程は多数の信号導体６２を形成する。信号導体の各々は、合わさる接点部分６８と、中間部分７０と、接点テール７２とを有している。合わさる接点部分６８は、合わさるコネクタ部分内にて相応する信号導体と接触し得る形状とされている。接点テール７２は、はんだボールを使用してプリント回路板のような基板に装着する形状とされている。中間部分７０は、接点テール７２と合わさる接点部分６８との間に信号路を提供する。
【００２３】
リードフレーム６４がプレス加工されたとき、個別の導体６２は、最初にタイバー６６によって接合される。タイバー６６は、導体６２を１つのグループとして容易に取り扱い易くする。タイバー６６は、その後のコネクタの製造段階にて切断して、電気的に分離した導体６２を形成する。
【００２４】
図１Ｂには、構成要素４６に組み立てられたリードフレーム６４が示されている。この例において、構成要素４６は、その内容の全体を参考として引用し本明細書に含めた、米国特許番号６，５３７，０８７に図示されたように、スタッキング又はメザニン型電気コネクタを組み立てるため使用することができるウェハである。
【００２５】
構成要素は、リードフレーム６４の信号導体６２の回りに成形された絶縁性ハウジング５０を含む。合わさる接点部分６８及び接点テール７２は、ハウジング５０内にて露出される。ハウジング５０は、構成要素４６を取り付け又は配置するため肩部４８のような造作部を含むこともできる。図示した実施の形態において、肩部４８は、構成要素４６をその他の同様のウェハと共に形成体内に挿入し、構成要素４６と構成要素４６を装着することができる基板との間の空間を設定することも許容する。
【００２６】
導体６２の各々は、接点テール７２を含む。図示した実施の形態において、接点テール７２の各々は、はんだボール（図示せず）を受け入れる形状とされる。構成要素４６が形成体内に組み立てられたとき、接点テール７２のパッド８０は、全体として平行に配置され、パッド８０におけるはんだボールがプリント回路板の表面におけるパッド列と接触することができるようにする。この形態において、パッド８０は、導体６２の軸線に対しほぼ垂直な方向に向けて全体として曲げられており、このため、導体は回路板に対してほぼ垂直である一方、パッド８０は、回路板の表面に対して平行に位置する。
【００２７】
接点テール７２は、はんだボールを保持するのを助ける形状とすることができる。例えば、パッド８０の各々は、はんだボールをパッドに固定するのを助ける窪み部８６を形成することができる。更に、参照番号８７、８３のような端縁は、はんだをパッド８０の上に保持するのを助ける。パッド８０の各々は、また、はんだをパッド８０上に保持するのを更に助けるべくはんだを湿らせることが可能な材料にて被覆することもできる。
【００２８】
我々は、図１Ａ及び図１Ｂに示した構成要素の形態には難点があることを知った。パッド８０が構成要素４６を取り付けるべき基板（すなわち回路板）に対して平行であり、信頼性の高いはんだ継手を形成するとき、パッド８０の各々は、正確な位置にて形成し、パッドの各々と構成要素４６を取り付けるべき基板との間の空間が正確に制御されるようにしなければならない。パッドが基板から過度に離れた場合、溶融したはんだは、基板におけるパッドと構成要素におけるパッドとの間の空隙を架橋することはできない。これと逆に、構成要素におけるパッドが基板におけるパッドに過度に近い場合、溶融したはんだは、所期の継手領域から絞り出され、基板におけるその他のパッドに対する短絡回路を形成し又は接点テール７２を吸い上げ且つ構成要素４６の作用を妨害する可能性がある。
【００２９】
しかし、接点テール７２は、高精度にて簡単に且つ低コストにて製造することが困難な形状を有する。接点テール７２は、平坦な金属薄板が成形ダイにより所望の形状に曲げられる成形工程にて所定の形状とされる。成形工程中、パッド８０の配置状態を正確に制御することは困難である。リードフレーム６４を形成するため使用される金属は、多少の弾性を有する。成形工程の一部として、金属は、リードが成形ダイから解放されるとき、所望の形状となるように弾性的に反発して戻る設計とされた形状となるように曲げられる。材料又は成形過程の少しの変化でもパッド８０が配置される精度は低下するであろう。
【００３０】
図２には、成形工程により接点テールを精密に配置する必要性を回避し且つ先行技術のリードフレームよりも電子組立体を製造する過程の変化を許容するリードフレームに対する１つの代替的な設計が示されている。リードフレーム２６４は、基板の面にてパッドに装着することができ、また、リードフレーム６４に代えて、１つの構成要素にて使用することができる接点テール２７２を有している。
【００３１】
リードフレーム６４の場合のように、リードフレーム２６４は、複数の導体６２を保持している。導体６２の各々は、合わさる接点部分６８と、中間部分７０とを含む。この例において、リードフレーム２６４における導体６２の合わさる接点部分及び中間部分は、リードフレーム６４（図１Ａ）におけるのと同一の形状を有する。しかし、これらの部分は、その内部にてリードフレーム２６４が使用される構成要素の機能にとって適した任意の所望の形状を有することができる。例えば、合わさる接点部分６８は、合わさるコネクタ内の信号導体と分離可能に電気的に接続するため順応性部分を含み又は任意のその他の形状とすることができる。別の例として、合わさる接点部分６８は、ボール、リード、パッド又はリードフレーム２６４を含むチップソケット内に保持すべき半導体チップにおけるその他の構造体と接触する設計とすることができる。
【００３２】
接点テール２７２は、中間部分７０から方向２９０に向けて伸びる軸部分を有している。図示した実施の形態において、信号導体の各々の軸は、ポスト２７８の形態をしている。リードフレーム２６４が電気的構成要素を形成するハウジング内に保持されたとき、ポスト２７８は、方向２９０に向けてハウジングから伸びることもできる。
【００３３】
ポスト２７８の各々は、ポスト２７８よりも方向２９０に向けて長さ当たりより大きい表面積を有する末端部分となるように幅が拡がる。図示した実施の形態において、末端部分の各々がパドル２８０の形状をしている。図２の実施の形態にて理解し得るように、パドル２８０の各々は、ポスト２７８の幅よりも広い幅を有する。この形態において、接点テール２７２が基板に取り付けられたとき、パドル２８０の主要面は、基板の面に対して垂直であり、端縁２８２のみが基板の面に対して平行に位置する。このことは、パッド８０の全体が基板の面に対して平行に位置する、図１Ａ及び図１Ｂの形態と相違する。
【００３４】
図示した実施の形態において、リードフレーム２６４は、金属薄板２００（仮想線で図示）にて出来ている。リードフレーム２６４は、金属薄板２００からプレス加工することができる。その結果、パドルの各々は、方向２９０に対して平行な主要面と、その方向に対して直交する端縁２８２とを有している。
【００３５】
接点テール２７２の任意の部分を被覆することが望まれる場合、その被覆は、プレス加工する前に金属薄板２００に施工するか、又はプレス加工後に接点テール２７２に施工することができる。被覆は、酸化物の形成を少なくし、はんだの吸い取りを少なくし又はその他の目的のため使用することができる。
【００３６】
所望であれば、合わさる接点部分６８及び中間部分７０は、リードフレーム２６４の所期の取り付けに適するように湾曲し又はその他の構造的造作部を有するように形成することができる。しかし、図示した実施の形態において、接点テール２７２は形成されていない。接点テール２７２の全ての寸法は、本来的に成形工程よりも精密であるプレス加工工程にて画成することができる。
【００３７】
リードフレーム２６４は、電子構成要素に組み込み、その電子構成要素を次にプリント回路板のような基板に装着することができ、図３Ａには、かかる構成要素がプリント回路板３００に装着されるときのその構成要素の接点テール２７２が示されている。この図において、回路板３００は、ビア３０４を介してプリント回路板３００の面の内側にてトレース３０６に接合されたパッド３０２を含む。回路板３００は、従来の加工法を使用して形成されたプリント回路板とすることができるが、任意の適正な基板を使用してもよい。
【００３８】
はんだペースト３１０は、サーフェスマウント製造過程にて従来通りであるように、パッド３０２の上に配置される。はんだペースト３１０は、スクリーニング又ははんだペーストディスペンサを使用する等のような任意の適した態様にて施工することができる。接点テール２７２を保持する電子構成要素が回路板３００の上に配置されたとき、パドル２８０をはんだペースト３１０内に挿入する。図３Ａには、１つの構成要素を回路板３００の上に配置した後であるが、はんだペースト３１０がリフローする前の接点テール２７２が示されている。
【００３９】
接点テール２７２は、電子構成要素のハウジング３５０内に取り付けられた信号導体２６２の一部分として示されている。図示した実施の形態において、信号導体２６２は、信号導体２６２をハウジング３５０内に保持することを意図する保持造作部３６６を含む。保持造作部３６６は、接点テール２７２と共にプレス加工することができる。その結果、保持造作部３６６と回路板３００に面するパドル２８０の端縁２８２との間の距離Ｄ１は、プレス加工工程中に規定される。
【００４０】
同様に、下面３５２に対する端縁２８２の位置を規定する距離Ｄ２は、良好に制御される。ハウジング３５０がプリント回路板３００の上面から下面３５２の間隔を設定する作用を果たす肩部又はその他の造作部を含む場合、距離Ｄ２に対する良好に制御された許容公差は、パドル２８０がはんだペースト３１０に対して正確に配置される可能性を増すことになる。パドル２８０をはんだペースト３１０に対して正確に配置することは、はんだペースト３１０がリフローしたとき、形成されるはんだ継手の堅固さを増すことになる。
【００４１】
一例として、寸法Ｄ２は、２０から６０ミル（０．５から１．５ｍｍ）の範囲とすることができる。Ｄ１は約３０から１００ミル（０．７から２．５ｍｍ）の範囲とすることができる。ポスト２７８は、約４から１２ミル（０．１から０．３ｍｍ）の幅を有し、また、パドル２８０は、約８から３５ミル（０．２から０．９ｍｍ）の幅を有することができる。
【００４２】
接点テール２７２の形状もまた、形成されるはんだ継手の堅固さを増すこともできる。図示した実施の形態において、端縁２８２は湾曲している。この湾曲は、はんだペースト３１０内の気化した溶剤又はその他の気体がはんだペースト３１０が溶融したとき、そのはんだペーストから逃げるための直ちに利用可能な経路を提供する。プリント回路板に対して平行なパッドを有する接点テールを備える設計と相違して、図示した設計は、気体を取り込む程度が少なく、このため、接点テール２７２を使用して形成されたはんだ継手は、空隙を保持する可能性が少なくなる。
【００４３】
接点テール２７２のその他の態様はまた、より堅固な継手に到る。接点テール２７２の形状は、はんだペースト３１０がリフローしたとき、溶融したはんだがその内部に吸い取られる領域を決定する。接点テール２７２は、堅固な継手を形成する領域内にはんだを導く形状とすることができる。これと逆に、はんだは、はんだが電子組立体の作動を妨害するであろう領域から離れた方向に導くことができる。図３Ｂに示したように、はんだペースト３１０がリフローするとき、溶融したはんだは、接点テール２７２に接着して湾曲した端縁２８２に沿って２つの良好に画成されたヒール３２０Ａ、３２０Ｂを形成する。同様に、接点テール２７２の側面図を示す図３Ｃには、パドル２８０の平坦面に沿って形成された２つの良好に画成されたはんだフィレット３２０Ｃ、３２０Ｄが示されている。
【００４４】
図３Ａ、図３Ｂ及び図３Ｃに示した実施の形態において、はんだを接点テール２７２に向けて吸引する吸い取り動作は、また、はんだをビア３０４から吸引する。先行技術の設計において、はんだはビア内に吸引され、信頼性の高い継手を形成するためのはんだはパッドにて殆ど残らないため、サーフェスマウントパッドの下方のビアが回避される。溶融したはんだをビア内ではなくて、良好に画成されたヒール３２０Ａ、３２０Ｂ及び良好に画成されたフィレット３２０Ｃ、３２０Ｄ内に吸引する吸い取り動作により、ビア３０４は、パッド３０２に形成されたはんだ継手の信頼性を損なうことなく、パッド３０２の下方に配置することができる。ビアをパッドの継手領域の下方に配置し得ることは、１つの構成要素を取り付けるのに必要な領域を小さくする。
【００４５】
図３Ａないし図３Ｃに示した実施の形態において、接点テール２７２は、高いはんだの親和性を提供し、これにより接点テールの回りに形成されたはんだ継手の形状を設定するような形状とされている。図示した実施の形態は、基板におけるパッドに対し精密に配置された接点テールを示すが、この配置は、必ずしも必要ではない。接点テールが最初にパッド及びパッドの上のはんだペーストに対して精密に配置されていないとき、はんだ継手の形状を設定する際、更なる有利な効果を得ることができる。
【００４６】
接点テール２７２の高いはんだ親和性は、また、接点テールがパッドに対して精密に配置されず又は電子組立体を製造する過程にてその他の変化が生じた場合でさえ、堅固な継手を提供する形状を有するはんだ継手を形成することができる。図４Ａ及び図４Ｂには、接点テールがパッド４０２Ａ、４０２Ｂ、４０２Ｃ、４０２Ｄのようなパッドに対して整合外れとなったときでさえ、４７２Ａ、４７２Ｂ、４７２Ｃ、４７２Ｄのような接点テールは、信頼性の高いはんだ継手を形成することが示されている。更に、パッドの上に配置されたはんだペーストの容積の変化のような、製造過程におけるその他の変化が生じた場合でさえ、信頼性の高いはんだ継手が形成される。
【００４７】
図４Ａ及び図４Ｂに示した例において、接点テール４７２Ａは、パドル４８０Ａがはんだペースト４１０Ａ内に挿入された状態にて示されている。この図において、パドル４８０Ａは、パッド４０２Ａから僅かに変位されており、はんだペースト４１０Ａは、パドル４８０Ａの下側部分を覆うのに十分な容積を有する。このパドル４８０Ａの配置及びはんだペースト４１０Ａの容積は、接点テールの配置及びはんだペーストの容積の双方に対する名目的な設計値を表わすことができる。しかし、実際の電子組立体において、パッドの各々における接点テールの配置及びはんだペーストの容積の双方にて名目的な設計値からの変化が存在するであろう。これにも関わらず、信頼性の高いはんだ継手を形成することができる。
【００４８】
例えば、接点テール４７２Ｂは、接点テール４７２Ａよりも下方の位置にて示されている。はんだペースト４１０Ｂは、はんだペースト４１０Ａと同一の容積を有するが、接点テール４７２Ｂと接点テール４７２Ａとの間の位置の差は、はんだペースト４１０Ｂがパドル４８０Ｂの表面積よりも大きい率にて覆うことを意味する。
【００４９】
別の可能な変更例の一例として、接点テール４７２Ｃは、名目的な設計値よりもパッド４０２Ｃから更に離れた位置に配置された状態で示されている。この配置により、パドル４８０Ｃの比較的僅かな部分のみがはんだペースト４０２Ｃ内に挿入される。
【００５０】
更に別の可能な変更例の一例として、接点テール４７２Ｄは、名目的な設計値にてパッド４０２Ｄに対して配置される状態で示されている。しかし、はんだペースト４１０Ｄの容積がより大きいため、はんだペースト４１０Ｄがパドル４８０Ｄの表面積を覆う率は、はんだペースト４１０Ａによりパドル４８０Ａが覆われる率よりも大きい。
【００５１】
図４Ｂには、リフローした後のプリント回路板４００が示されている。接点テール４７２Ａ、４７２Ｂ、４７２Ｃ、４７２Ｄの各々に対するはんだペーストに対する接点テールの相対的な配置の変化にも拘らず、各場合にて信頼性の高いはんだ継手が形成される。図４Ｂに示したように、はんだペースト４１０Ａは、リフローしたとき、良好に規定されたヒールを有するはんだフィレット４２０Ａを形成する。かかるはんだフィレットは、望ましい電気的及び機械的性質を有するはんだ継手を形成する。
【００５２】
接点テール４７２Ａがはんだペースト４１０Ａ内に伸びる程度よりも接点テール４７２Ｂがはんだペースト４１０Ｂ内に更に遠方に伸びるにも拘らず、リフローしたとき、はんだペースト４１０Ｂは、また信頼性の高い継手を形成する。幾つかの先行技術の製造過程にて、リフローする前に、リードがはんだペースト内に過度に深く伸びることは、はんだがリードを吸い上げ又ははんだを隣接するパッドまで汚すことを許容する可能性がある。はんだがポスト４７８Ｂを吸い上げるという同一の傾向が存在する。しかし、ポスト４７８Ｂとパドル４８０Ｂとの間の転移部分は、保持フィレット４２２Ｂが形成される１つの領域を作り出す。余剰なはんだが継手領域から吸い出されると、そのはんだは、保持フィレット４２２Ｂとして保持され、電子構成要素の作動を妨害するのに十分遠方までポスト４７８Ｂを吸い上げることはない。
【００５３】
接点テール４７２Ｃは、逆の問題点を生ずる。接点テール４７２は、はんだペースト４１０Ｃ内に十分に深く挿入されない。これにも拘らず、リフローしたときのはんだペースト４１０Ｃの吸い取り動作は、パドル４８０Ｃとパッド４０２Ｃとの間にはんだ継手を形成する。
【００５４】
はんだを保持し且つはんだがポスト４７８Ｄを吸い上げるのを防止する接点４７２Ｄのような接点テールの機能は、余剰なはんだペーストがパッドの上に配置されたときにも有益である。図４Ａに示したように、はんだペースト４１０Ｄは名目値よりも大きい容積を有する。しかし、余剰なはんだは、ポスト４７０Ｄを吸い上げ又はパッド４０２Ｄから拡がることなく、接点テール４７２Ｄを吸い上げ且つ保持フィレット４２２Ｄを形成する。保持フィレット４２２Ｄは、はんだがポスト４７８Ｄを吸い上げ又は隣接するパッドを汚し且つはんだテール４７２Ａ、４７２Ｂ、４７２Ｃ、４７２Ｄがその一部である電子構成要素の作動を妨害するのを阻止する。
【００５５】
図４Ａ及び図４Ｂには、電子組立体の製造過程の変化にも拘らず、接点テールの設計が信頼性の高いはんだ継手を形成する様子を示す一例が示されている。本明細書にて説明したように、接点テールは、基板上にて構成要素をパッドに対して不正確に配置することになる変化にも拘らず、信頼性の高い継手を形成することができる。図５Ａないし図５Ｃには、はんだに対して高い親和性を有する接点テールにて生ずるであろう自己整合状態が示されている。はんだが吸い取ることになるのと同一の吸引力は、接点テールを接点テールに加わる力が釣り合わされる位置まで動かすこともできる。接点テールが非対称である場合、かかる力は、接点テールをパッド上にて中心決めし且つ信頼性の高いはんだ継手が形成される可能性を増すことができる。
【００５６】
図５Ａには、電子構成要素の一部分を形成することができる単一の接点テール５７２が示されている。図５Ａには、電子構成要素がプリント回路板５００の上に配置されたときの接点テール５７２の配置状態が示されている。プリント回路板５００は、接点テール５７２にはんだ付けすることを意図するパッド５０２を含む。図５Ａに示した製造段階にて、パッド５０２は、はんだペースト５１０を保持している。この例において、接点テール５７２がその一部である電子構成要素は、パッド５０２に対して誤配置されている。パッド５０２の上にて中心決めされずに、パドル５８０の一部分のみがはんだペースト５１０内に挿入されている。
【００５７】
接点パッド５７２がパッド５０２に対して誤配置されるにも拘らず、接点テール５７２及びパッド５０２に対する溶融したはんだの親和性は、接点テール５７２をパッド５０２に向けて吸引する力を接点テール５７２に発生させる。接点テール５７２に加わる力は、接点テール５７２がパッド５０２上にてはんだ内に中心決めされたときに均衡する。その結果、はんだペースト５１０がリフローし且つ冷却することが許容されるとき、接点テール５７２は、図５Ｂに示した位置に配置される。接点テール５７２及び接点テール５７２がその一部である電子構成要素が再配置されて、接点テール５７２は、全体として対称のはんだフィレット５２０Ａ、５２０Ｂに対してパッド５０２上にて中心決めされる。
【００５８】
図５Ｃには、コネクタ又はその他の電気的構成要素にてボールグリット列に置換するため使用することができるような接点テールの列を有する電子構成要素に対しこの自己中心決め原理が適用される状態が示されている。この例において、基板は、パッド５５２１、１ないし５５２３、５（その一部分のみを番号にて表示）の矩形の列を含む。図示した実施の形態において、パッドは、Ｘ、Ｙとして表示した軸線に沿って矩形の列にて配置されている。接点テール５７２１、１から５７２３、５は、同様にパッドの列と整合することを意図する矩形の列にて配置されている。しかし、図５Ｃに示したように、構成要素は、僅かに所定の位置外に配置され、接点テール５７２１、１から５５２３、５は、パッド５５２１、１から５５２３、５の上にて中心決めされない。溶融したはんだと接点テールとの間の吸引力を使用して構成要素をパッドに対して整合させることができる。
【００５９】
接点テール５７２１、１から５７２３、５は、接点テール５７２（図５Ａ）と同様の形状とすることができる。図示した実施の形態において、パッド５０２（図５Ａ）上のはんだとパドル５８０（図５Ａ）との間の吸引力は、パドル５８０の湾曲した端縁５８２（図５Ａ）に沿って最大である。このため、一部の実施の形態において、接点テール５７２１、１から５７２３、５は列内にて向き決めし、端縁５８２１、１から５８２３、５の異なる端縁が異なる向きを有し、接点テールの少なくとも一部が所望の位置まで引っ張られるようにすることが望ましい。図示した実施の形態において、端縁５８２１、１から５８２３、５は、パッド５５２１、１から５５２３、５の列のＸ又はＹ軸線の何れに対しても直角ではない。このようにして、接点テールの自己配置する特徴は、整合外れがＸ方向であるか、Ｙ方向であるか又はその双方であるかに関係なく、接点テールの列をパッドの列と整合させることができる。
【００６０】
更に、接点テールの全てが同一の向きを有するわけではない。図５Ｃの実施の形態において、接点テール５７２１、１から５７２３、５の列は、横列５６２１、５６２２、５６２３に配列されている。各横列の接点テールは、Ｘ、Ｙグリッドに対して同一の向きを有することができる。隣接する横列の接点テールが異なる向きを有するようにしてもよい。かかる形態は、図１Ｂに示したように、ウェハから組み立てられた電子構成要素にとって望ましいであろう。この例において、横列５６２１、５６２３の接点テールは、Ｘ軸に対しある角度にて向き決めされた端縁５８２１、１から５８２１、５に対し直角に向き決めされる。横列５６２２の接点テールの各々は、Ｘ軸線に対して角度βにて向き決めされたその端縁５８２２、１、５８２２、５に対する法線を有する。角度α、βは、逆符号を有してほぼ等しい大きさを有するものとして示されており、その各々は、約４５゜の大きさを有する。しかし、任意の適正な角度を使用してよく、また、角度は各横列にて異なるものとしてもよい。
【００６１】
その端縁５８２に対する法線がパッドの列の軸線から角度を付けて変位した状態に接点テールの各々を向き決めすることは、接点テールの列がＸ又はＹ方向に向けてパッドの列から変位されるかどうかに関係なく、接点テールをパッドに対して中心決めする親和性を増すことになる。異なる横列にて異なる向きを含めることにより、接点テールの列をパッドの列に対し中心決めする親和性は、接点テールの列がパッドの列から変位される方向に関係なく、増すことができる。
【００６２】
次に、図６Ａから図６Ｋを参照すると、接点テール２７２（図２）のような接点テールの代替的な実施の形態が示されている。図６Ａから図６Ｋにおける接点テールの各々は、接点テールを金属薄板からプレス加工することにより製造することができる。図示した接点テールの各々は、電子構成要素にて使用される信号導体の一部分とすることができる。各々は、リードフレーム又はその他の構造の一部として製造し、電子構成要素の製造を容易にすることができる。図６Ａから図６Ｋは、接点テールを形成することができる色々な形状を示す図である。
【００６３】
図６Ａには、接点テール６７２Ａが示されている。接点テール６７２Ａは、全体として円形のパドル６８０Ａを有する接点テール２７２（図２）と同様の形状を有する。図６Ａの実施の形態において、はんだプレフォーム６１２は、パドル６８０Ａに装着される。はんだプレフォームが装着された接点テール６７２Ａのような接点テールは、電子構成要素を最初にはんだペーストを基板のパッドの上に堆積させることなく、基板にはんだ付けされる電子組立体を製造するため使用することができる。リフローしたとき、はんだプレフォーム６１２は、溶融して接点テール６７２Ａをパッドに装着するはんだフィレットを形成する。
【００６４】
図６Ｂには、接点テールの１つの代替的な実施の形態が示されている。図６Ｂに示した実施の形態において、接点テール６７２Ｂは、貫通して形成された穴６８４Ｂを有する。穴６８４Ｂは、任意の適当な方法にて製造することができる。例えば、穴６８４Ｂは、パドル６８０Ｂを穿孔し又は穴開けすることにより形成し、また、接点テール６７２Ａを形成するため使用されるものと同一のプレス加工工程の一部として形成することができる。パドル６８０Ｂがその後にリフローするはんだペースト内に挿入されたとき、溶融したはんだが穴６８４Ｂを充填することができる。はんだが穴６８４Ｂを貫通して伸びるようにすることは、接点テール６７２Ｂと該接点テールが取り付けられる基板との間の機械的な接続を補強することができる。図示した実施の形態において、穴６８４Ｂは、パドル６８０Ｂの下側部分にある。しかし、穴６８４Ｂは、パドル６８０Ｂの任意の部分に配置してもよい。
【００６５】
図６Ｃには、接点テール６７２Ｃが示されている。図６Ａ及び図６Ｂの実施の形態におけるように、接点テール６７２Ｃは、全体としてディスク形状のパドル６８０Ｃを有している。穴６８４Ｃがパドル６８０Ｃに打ち抜かれている。この実施の形態において、穴６８４Ｃは、パドル６８０Ｃの外周と交差しパドル６８０Ｃにスロットを形成する。パドル６８０Ｃの残りの材料は、Ｊ字形の輪郭外形を有する。パドル６８０Ｃの寸法に対して穴６８４Ｃの寸法を適正に選ぶことにより、パドル６８０Ｃは、Ｊ字形リードの可撓性に類似する可撓性を有することができるが、成形工程を行わずに形成される。
【００６６】
想定される実施の形態において、図６Ｃから図６Ｉに示した接点テールは、金属薄板からプレス加工される。このため、各々が全体として平坦であるため、プレス加工した接点テールの外形線のみが示してある。図６Ｃから図６Ｉに明白には図示しないが、図示した接点テールの各々は、接点テールがプレス加工される金属薄板の厚さにほぼ等しい厚さを有する。幾つかの想定される実施の形態において、接点テールの各々は、約４から１２ミル（０．１から０．３ｍｍ）の厚さを有するであろう。
【００６７】
図６Ｄには、更なる可能な実施の形態が示されている。接点テール６７２Ｄは下端縁６８２Ｄを有する。上述したように、下端縁６８２Ｄは、接点テール６７２Ｄが基板に取り付けられたとき、基板に面する。端縁６８２Ｄは、接点テールをパッドに固定するはんだに比して相対的に小さい表面積の接点テール６７２Ｄを提供する。この相対的に小さい表面積は、気体がリフローする間、溶融したはんだ内に取り込まれて、接点テール６７２Ｄをパッドに対し保持するはんだ継手内に空隙を形成する可能性を少なくする。湾曲した端縁６８２Ｄは、気体が溶融したはんだ内に取り込まれるのを更に少なくし、それは、気体は、全体として湾曲した端縁に従って溶融したはんだの表面まで流れ、気体はこの表面から逃げるからである。従って、全体として円形のパドルを含む上述した実施の形態は、はんだ継手内に取り込まれる気体を少なくする。
【００６８】
しかし、接点テールのパドルは、円形である必要はない。図６Ｄの実施の形態において、接点テール６７２Ｄは、半径Ｒ１の下端縁６８２Ｄを有する。上端縁６８６Ｄも湾曲しているが、この場合、半径Ｒ２として示した大きい半径を有する。上端縁６８６Ｄを大きい半径にて形成する結果、上端縁６８６Ｄの上方にてより大きいはんだ保持領域６８８Ｄが形成される。更に、大きい半径の上端縁６８６Ｄを形成することは、ポスト６７８Ｄと上端縁６８６Ｄとの間により鋭角度を形成することになる。より鋭角度を形成することは、保持領域６８８Ｄ内にて保持すべき溶融したはんだに対する親和性を増すことになる。
【００６９】
図６Ｅには、より大きい保持領域６８８Ｅを有する接点テール６７２Ｅが示されている。この実施の形態において、上端縁６８６Ｅは、比較的平坦で且つポスト６７８Ｅに対して垂直である。
【００７０】
図６Ｆには、更なる実施の形態が示されている。接点テール６７２Ｆは、多数の曲がり部を有するポスト６７８Ｆを含む。ポスト６７８Ｆの蛇行した形状は可撓性を提供する。かかる可撓性は、接点列を有する電気的構成要素と基板との間の異なる熱膨張率によって形成された熱応力を吸収するため、望ましい。好ましくは、ポスト６７８Ｆは、パドル６８０Ｆを形成するものと同一のプレス加工工程の一部として形成されるようにする。接点テール６７２Ｆが、形成されたリードに対すると同様の可撓性を提供する場合でさえ、接点テールは、プレス加工工程を通じて利用可能な厳格な製造許容公差を提供する。
【００７１】
図６Ｇには、接点テール６７２Ｇが示されている。接点テール６７２Ｇは、へこんだ側部分６９０Ｇを有するパドル６８０Ｇを含む。へこんだ側部分６９０Ｇは、追加的なはんだ保持領域６９２Ｇを形成する。追加的なはんだ保持領域６９２Ｇは、パドル６８０Ｇに接着するはんだの量を増し、このため、はんだがポスト６７８Ｇを吸い上げ又ははんだ継手領域外に汚すことにより電子構成要素の作動を妨害する可能性を少なくすることができる。
【００７２】
図６Ｈには、接点テールの更なる実施の形態が示されている。接点テール６７２Ｈは、不連続部分６９０Ｈを有する下端縁６８２Ｈを含む。不連続部分６９０Ｈは、レンズ形状部分を図６Ａに示したように、その他の点にて円形のパドルから除去することにより形成される。図６Ｈは、プリント回路板に面する接点テール６７２Ｈの端縁は丸味を付ける必要がないことを実証する。接点テール６７２Ｈは、丸味を付けた端縁の無い可能な代替的な実施の形態の単に一例である。別の例として、不連続部分６９０Ｈは、パドル６８０Ｈ内に更に伸びるスロットを形成することができる。
【００７３】
図６Ｉには、パドル６８０Ｉを有する接点テール６７２Ｉが示されている。この実施の形態において、パドル６８０Ｉは全体として円形である。図６Ｉは、パドル６８０Ｉの端縁６８２Ｉは必ずしも基板上のパドルに直接接触する必要はないことを示す。図示した実施の形態において、パドル６８０Ｉから伸びる突起６９２Ｉは、端縁６８２Ｉと接点テール６７２Ｉを取り付けることができる基板におけるパッドとの間に配置される。突起６９２Ｉは、パドル６８０Ｉを形成するものと同一のプレス加工工程にて形成することができる。
【００７４】
図６Ｊ及び図６Ｋには、接点テールの更なる代替的な実施の形態が示されている。図示した実施の形態において、接点テールの各々は、プレス加工工程にて形成される。成形方法が合わさる接点部分及び信号導体の中間部分を成形するものとして説明したが、上述した実施の形態において、接点テールのどの部分も成形工程にて成形されない。図６Ｊ及び図６Ｋは、成形工程を欠如することは必ずしも本発明を限定するものではないことを実証する。図６Ｊの実施の形態において、接点テール６７２Ｊは頂面図にて示されている。この図において、パドル６８０Ｊは湾曲部を含むように形成することができることが理解できる。かかる湾曲部は、例えば、パドル６８０Ｊが幅の広いパッドを必要とせずに、より大きい表面積を有することを許容するため、望ましいであろう。図示した実施の形態において、軸６７８Ｊの方向２９０（図２）に向けて湾曲部は形成されない。その結果、距離Ｄ１、Ｄ２（図３Ａ）のようなポスト２７８Ｊに沿った寸法が高精密なプレス加工工程により画成される。
【００７５】
図６Ｋには、接点テール６７２Ｋの一部分が形成される更なる実施の形態が示されている。図６Ｋに示した実施の形態において、パドル６８０Ｋは、ポスト６７８Ｋの軸線の回りにて折り畳まれる。接点テール６７２Ｊを有する場合のように、かかる形態は、パドル６８０Ｋをパッドに取り付けるはんだ継手の形状を設定する。パドル６８０Ｋの折り畳み部は、パドル６８０Ｋの表面積を増大させることができる。これと代替的に、折り畳み部は、はんだを保持し、これによりはんだ継手内にてはんだがパドル６８０Ｋに隣接して保持される率を増大させる隅部又は同様の構造を形成するようにしてもよい。かかる形態により、はんだ継手の領域から外に吸い取り且つ電子構成要素の作動を妨害するはんだの率がこれに相応して減少する。
【００７６】
本発明の少なくとも１つの実施の形態の幾つかの態様について説明したが、当該技術の当業者には、色々な代替例、改変例及び改良点が容易に明らかであることが理解すべきである。
【００７７】
例えば、接点テールは、電気的コネクタ内の信号導体にて使用されるものとして説明した。しかし、その使用はこの用途にのみ限定されるものではない。本発明に従った接点テールは、電気的コネクタ内にて接地リード、遮蔽体、板又はその他の導電性部材と共に使用することができる。同様に、接点テールは、チップソケット、チップキャリア及び半導体デバイスのようなその他の構成要素と共に使用することができる。
【００７８】
かかる代替例、改変例及び改良点は、本発明の一部とすることを意図し、また、本発明の精神及び範囲に含めることを意図するものである。従って、上記の説明及び図面は単に一例にしか過ぎないものである。
【図面の簡単な説明】
【００７９】
【図１Ａ】先行技術の電気コネクタからのリードフレームを示す概略図である。
【図１Ｂ】図１Ａのリードフレームを含む先行技術のコネクタ構成要素の概略図である。
【図２】本発明の１つの実施の形態に従ったリードフレームの概略図である。
【図３Ａ】電子組立体の１つの製造段階における図２のリードフレームの接点テールの概略図である。
【図３Ｂ】電子組立体の後続の製造段階における図３Ａの接点テールの概略図である。
【図３Ｃ】図３Ｂに示した接点テールの一部分を示す側面図である。
【図４Ａ】電子組立体の１つの製造段階における接点テール列を示す概略図である。
【図４Ｂ】後半の製造段階における図４Ａの接点テール列を示す概略図である。
【図５Ａ】電子組立体の１つの製造段階における接点テールを示す概略図である。
【図５Ｂ】電子組立体の後続の製造段階における図５Ａの接点テールを示す概略図である。
【図５Ｃ】本発明の１つの実施の形態に従った接点テール列を示す頂面図である。
【図６Ａ】本発明の１つの代替的な実施の形態に従った接点テールを示す概略図である。
【図６Ｂ】本発明の１つの代替的な実施の形態に従った接点テールを示す概略図である。
【図６Ｃ】本発明の代替的な実施の形態に従った接点テールを示す概略正面図である。
【図６Ｄ】本発明の代替的な実施の形態に従った接点テールを示す概略正面図である。
【図６Ｅ】本発明の代替的な実施の形態に従った接点テールを示す概略正面図である。
【図６Ｆ】本発明の代替的な実施の形態に従った接点テールを示す概略正面図である。
【図６Ｇ】本発明の代替的な実施の形態に従った接点テールを示す概略正面図である。
【図６Ｈ】本発明の代替的な実施の形態に従った接点テールを示す概略正面図である。
【図６Ｉ】本発明の代替的な実施の形態に従った接点テールを示す概略正面図である。
【図６Ｊ】本発明の代替的な実施の形態に従った接点テールを示す代替的な実施の形態の概略頂面図である。
【図６Ｋ】本発明の代替的な実施の形態に従った接点テールを示す代替的な実施の形態の概略頂面図である。
【図１Ａ】
2009520341.tif 000003
【図１Ｂ】
2009520341.tif 000004
【図２】
2009520341.tif 000005
【図３Ａ】
2009520341.tif 000006
【図３Ｂ】
2009520341.tif 000007
【図３Ｃ】
2009520341.tif 000008
【図４Ａ】
2009520341.tif 000009
【図４Ｂ】
2009520341.tif 000010
【図５Ａ】
2009520341.tif 000011
【図５Ｂ】
2009520341.tif 000012
【図５Ｃ】
2009520341.tif 000013
【図６Ａ】
2009520341.tif 000014
【図６Ｂ】
2009520341.tif 000015
【図６Ｃ】
2009520341.tif 000016
【図６Ｄ】
2009520341.tif 000017
【図６Ｅ】
2009520341.tif 000018
【図６Ｆ】
2009520341.tif 000019
【図６Ｇ】
2009520341.tif 000020
【図６Ｈ】
2009520341.tif 000021
【図６Ｉ】
2009520341.tif 000022
【図６Ｊ】
2009520341.tif 000023
【図６Ｋ】
2009520341.tif 000024
【国際調査報告】
2009520341.tif 000025
2009520341.tif 000026